(57)【要約】【課題】一般的に空気調和機のクロスフローファンは、両端のみで支持される構成されているため、輸送時にコンテナなどに保管された場合、周囲温度が高温になり、自重でクロスフローファンがたわみ、エアコン運転時に筐体の振動が大きくなるという課題を有していた。【解決手段】前記クロスフローファン３と前記エアガイダー４との間隙に着脱自在に挿入体６を挟持するように構成されることにより、輸送時にコンテナなどに保管され周囲温度が高温になった場合、自重で前記クロスフローファン３がたわんでも、前記挿入体６が挟持しているためたわみが少なくなるので、安価な材料でクロスフローファンを作ることができ、筐体の振動を少なくすることができる。【選択図】図１
2010013162.tif 000002
【特許請求の範囲】
【請求項１】
筐体内に熱交換器とクロスフローファンとエアガイダーとからなる風回路を具備した空気調和機において、前記クロスフローファンと前記エアガイダーとの間隙に着脱自在な挿入体を少なくとも前記空気調和機の梱包時に挟持したことを特徴とする空気調和機。
【請求項２】
前記挿入体は、前記エアガイダーの曲面に略沿う曲面あるいは曲線を具備したことを特徴とする請求項１記載の空気調和機。
【請求項３】
前記挿入体は、前記クロスフローファンの外周面に略沿う曲面あるいは曲線を具備したことを特徴とする請求項１記載の空気調和機。
【請求項４】
前記挿入体は、前記エアガイダーの曲面に略沿う曲面あるいは曲線と前記クロスフローファンの外周面に略沿う曲面あるいは曲線を具備したことを特徴とする請求項１記載の空気調和機。
【請求項５】
前記挿入体を少なくとも前記クロスフローファンの長手方向の略中央に挟持したことを特徴とする請求項１記載の空気調和機。
【請求項６】
前記挿入体は、前記風回路の吹出口を介して出し入れし着脱自在に挟持することを特徴とする請求項１記載の空気調和機。
【請求項７】
筐体内に熱交換器とクロスフローファンとエアガイダーとからなる風回路を具備した空気調和機であって、前記挿入体を前記空気調和機の工場出荷前に前記吹出口から挿入し、前記クロスフローファンと前記エアガイダーとに前記挿入体が当接したときに前記挿入体をテープで前記筐体に固定し、前記クロスフローファンと前記エアガイダーとの間隙に挟持することを特徴とする空気調和機の製造方法。
【発明の詳細な説明】
【技術分野】
【０００１】
本発明は空気調和機および空気調和機の製造方法に関するものである。
【背景技術】
【０００２】
従来、一般的に空気調和機のクロスフローファンは、両端のみで支持される構成が一般的である（例えば、特許文献１参照）。
【０００３】
図９は、特許文献１に記載された従来の空気調和機の室内機の横断面図を示すものである。同図に示すように、本空気調和機の室内機は、筐体１内に熱交換器２とクロスフローファン３とエアガイダー４とからなる風回路５を具備した構成となっている。
【特許文献１】特開２００４−３３２９５３号公報
【発明の開示】
【発明が解決しようとする課題】
【０００４】
しかしながら、前記従来の構成では、空気調和機のクロスフローファンは、両端のみで支持される構成されているため、輸送時にコンテナなどに保管された場合、周囲温度が高温になり、自重でクロスフローファンがたわみ、エアコン運転時に筐体の振動が大きくなるという課題を有していた。
【０００５】
また、クロスフローファンのたわみを、空気調和機の運転に支障ない程に少なくするためにはクロスフローファンの材料に高価な材料を用いなければならず、コストが嵩むという課題を有していた。
【０００６】
本発明は、前記従来の課題を解決するもので、筐体内に熱交換器とクロスフローファンとエアガイダーとからなる風回路を具備し、前記クロスフローファンと前記エアガイダーとの間隙に着脱自在に挿入体を挟持したことを特徴とする空気調和機であって、前記クロスフローファンと前記エアガイダーとの間隙に着脱自在に挿入体を挟持することにより、輸送時にコンテナなどに保管され周囲温度が高温になった場合でも、クロスフローファンの自重でのたわみが少なくなり、安価な材料でクロスフローファンを作ることができ、その結果、筐体の振動を少なくすることができる空気調和機の室内機を提供することを目的とする。
【課題を解決するための手段】
【０００７】
前記従来の課題を解決するために、本発明の空気調和機の室内機は、筐体内に熱交換器とクロスフローファンとエアガイダーとからなる風回路を具備した空気調和機において、前記クロスフローファンと前記エアガイダーとの間隙に着脱自在な挿入体を少なくとも前記空気調和機の梱包時に挟持したもので、この構成をなすことにより、前記クロスフローファンと前記エアガイダーとの間隙に着脱自在に挿入体を挟持したにより、輸送時にコンテナなどに保管され周囲温度が高温になった場合でも、クロスフローファンの自重でのたわみが少なくなり、安価な材料でクロスフローファンを作ることができ、筐体の振動を少なくすることができる。
【０００８】
また本発明の空気調和機は、挿入体に前記エアガイダーの曲面に略沿う曲面あるいは曲線を具備したもので、この構成をなすことにより、前記挿入体が前記エアガイダーに沿うように挟持されるので確実に前記クロスフローファンを支えることが出来、輸送時にコンテナなどに保管され周囲温度が高温になった場合でも、クロスフローファンの自重でのたわみが少なくなり、安価な材料でクロスフローファンを作ることができ、筐体の振動を少
なくすることができる。
【０００９】
また本発明の空気調和機は、挿入体に前記クロスフローファンの外周面に略沿う曲面あるいは曲線を具備したもので、この構成をなすことにより、挿入体が前記クロスフローファンに沿うように挟持されるので確実に前記クロスフローファンを支えることが出来、輸送時にコンテナなどに保管され周囲温度が高温になった場合でも、クロスフローファンの自重でのたわみが少なくなり、安価な材料でクロスフローファンを作ることができ、筐体の振動を少なくすることができる。
【００１０】
また本発明の空気調和機は、挿入体に前記エアガイダーの曲面に略沿う曲面あるいは曲線と前記クロスフローファンの外周面に略沿う曲面あるいは曲線を具備したもので、この構成をなすことにより、前記挿入体が前記エアガイダーと前記クロスフローファンに沿うように挟持されるので確実に前記クロスフローファンを支えることが出来、輸送時にコンテナなどに保管され周囲温度が高温になった場合でも、クロスフローファンの自重でのたわみが少なくなり、安価な材料でクロスフローファンを作ることができ、筐体の振動を少なくすることができる。
【００１１】
また本発明の空気調和機は、挿入体を少なくとも前記クロスフローファンの長手方向の略中央に挟持したもので、この構成をなすことにより、効率的にクロスフローファンを支えることが出来、輸送時にコンテナなどに保管され周囲温度が高温になった場合でも、クロスフローファンの自重でのたわみが少なくなり、安価な材料でクロスフローファンを作ることができ、筐体の振動を少なくすることができる。
【００１２】
また本発明の空気調和機は、前記風回路の吹出口を介して出し入れし着脱自在に挟持するもので、この構成をなすことにより、室内機を設置後、風回路の吹出口から挿入体を容易に取り出すことが出来、輸送時にコンテナなどに保管され周囲温度が高温になった場合でも、クロスフローファンの自重でのたわみが少なくなり、安価な材料でクロスフローファンを作ることができ、筐体の振動を少なくすることができる。
【００１３】
また本発明の空気調和機は、筐体内に熱交換器とクロスフローファンとエアガイダーとからなる風回路を具備した空気調和機であって、前記挿入体を前記空気調和機の工場出荷前に前記吹出口から挿入し、前記クロスフローファンと前記エアガイダーとに前記挿入体が当接したときに前記挿入体をテープで前記筐体に固定し、前記クロスフローファンと前記エアガイダーとの間隙に挟持するもので、この構成をなすことにより、輸送時にコンテナなどに保管され周囲温度が高温になった場合でも、クロスフローファンの自重でのたわみが少なくなり、安価な材料でクロスフローファンを作ることができ、筐体の振動を少なくすることができる。
【発明の効果】
【００１４】
本発明の空気調和機は、クロスフローファンとエアガイダーとの間隙に着脱自在に挿入体を挟持することにより、輸送時にコンテナなどに保管され周囲温度が高温になった場合でも、クロスフローファンの自重でのたわみが少なくなり、安価な材料でクロスフローファンを作ることができ、筐体の振動を少なくすることができる。
【００１５】
また筐体内に熱交換器とクロスフローファンとエアガイダーとからなる風回路を具備した空気調和機であって、挿入体を空気調和機の工場出荷前に吹出口から挿入し、クロスフローファンとエアガイダーとに挿入体が当接したときに挿入体をテープで筐体に固定し、クロスフローファンとエアガイダーとの間隙に挟持することにより、輸送時にコンテナなどに保管され周囲温度が高温になった場合でも、クロスフローファンの自重でのたわみが少なくなり、安価な材料でクロスフローファンを作ることができ、筐体の振動を少なくす
ることができる。
【発明を実施するための最良の形態】
【００１６】
第１の発明は、筐体内に熱交換器とクロスフローファンとエアガイダーとからなる風回路を具備した空気調和機において、前記クロスフローファンと前記エアガイダーとの間隙に着脱自在な挿入体を少なくとも前記空気調和機の梱包時に挟持することによりクロスフローファンのたわみが少なくなり、安価な材料でクロスフローファンを作ることができ、筐体の振動を少なくすることができる。
【００１７】
第２の発明は、特に第１の発明の挿入体に、前記エアガイダーの曲面に略沿う曲面あるいは曲線を具備することによりクロスフローファンのたわみが少なくなり、安価な材料でクロスフローファンを作ることができ、筐体の振動を少なくすることができる。
【００１８】
第３の発明は、特に第１の発明の挿入体に、前記クロスフローファンの外周面に略沿う曲面あるいは曲線を具備することによりクロスフローファンのたわみが少なくなり、安価な材料でクロスフローファンを作ることができ、筐体の振動を少なくすることができる。
【００１９】
第４の発明は、特に第１の発明の挿入体に、前記エアガイダーの曲面に略沿う曲面あるいは曲線と前記クロスフローファンの外周面に略沿う曲面あるいは曲線を具備することによりクロスフローファンのたわみが少なくなり、安価な材料でクロスフローファンを作ることができ、筐体の振動を少なくすることができる。
【００２０】
第５の発明は、特に第１の発明の挿入体を少なくとも前記クロスフローファンの長手方向の略中央に挟持することによりクロスフローファンのたわみが少なくなり、安価な材料でクロスフローファンを作ることができ、筐体の振動を少なくすることができる。
【００２１】
第６の発明は、特に第１の発明の挿入体を、風回路の吹出口を介して出し入れし着脱自在に挟持することによりクロスフローファンのたわみが少なくなり、安価な材料でクロスフローファンを作ることができ、筐体の振動を少なくすることができる。
【００２２】
第７の発明は、筐体内に熱交換器とクロスフローファンとエアガイダーとからなる風回路を具備した空気調和機であって、前記挿入体を前記空気調和機の工場出荷前に前記吹出口から挿入し、前記クロスフローファンと前記エアガイダーとに前記挿入体が当接したときに前記挿入体をテープで前記筐体に固定し、前記クロスフローファンと前記エアガイダーとの間隙に挟持することによりクロスフローファンのたわみが少なくなり、安価な材料でクロスフローファンを作ることができ、筐体の振動を少なくすることができる。
【００２３】
以下、本発明の実施の形態について、図面を参照しながら説明する。なお、この実施の形態によって本発明が限定されるものではない。
【００２４】
（実施の形態１）
図１は、本発明の第１の実施の形態における空気調和機の室内機の断面図を図示したものである。
図１において、本空気調和機の室内機は、筐体１内に熱交換器２とクロスフローファン３とエアガイダー４とからなる風回路５を具備し、前記クロスフローファン３と前記エアガイダー４との間隙に着脱自在な挿入体６を少なくとも空気調和機の筐体の梱包時に挟持するように構成されている。
【００２５】
以上のように構成された空気調和機について、以下その動作、作用を説明する。
前記クロスフローファン３と前記エアガイダー４との間隙に着脱自在な挿入体６を挟持す
るように構成されることにより、輸送時にコンテナなどに保管され周囲温度が高温になった場合でも、クロスフローファンの自重でのたわみが少なくなり、安価な材料でクロスフローファンを作ることができ、筐体の振動を少なくすることができる。
【００２６】
（実施の形態２）
図２は、本発明の第２の実施の形態における空気調和機の室内機の断面図を図示したものである。
【００２７】
図２において、挿入体６ａは、前記エアガイダー４の曲面に略沿う曲面７あるいは曲線７を具備することにより、前記挿入体６ａが前記エアガイダー４に沿うように挟持されるので確実に前記クロスフローファン３を支えることが出来、輸送時にコンテナなどに保管され周囲温度が高温になった場合でも、クロスフローファンの自重でのたわみが少なくなり、安価な材料でクロスフローファンを作ることができ、筐体の振動を少なくすることができる。
（実施の形態３）
図３は本発明の第３の実施の形態における空気調和機の室内機の断面図を図示したものである。
【００２８】
図３において、挿入体６ｂに、前記クロスフローファン３の外周面に略沿う曲面８あるいは曲線８を具備することにより、前記挿入体６ｂが前記クロスフローファン３に沿うように挟持されるので確実に前記クロスフローファン３を支えることが出来、輸送時にコンテナなどに保管され周囲温度が高温になった場合でも、クロスフローファンの自重でのたわみが少なくなり、安価な材料でクロスフローファンを作ることができ、筐体の振動を少なくすることができる。
【００２９】
（実施の形態４）
図４は本発明の第４の実施の形態における空気調和機の室内機の断面図を図示したものである。
【００３０】
図４において、挿入体６ｃに、前記エアガイダー４の曲面に略沿う前記曲面７あるいは曲線７と前記クロスフローファン３の外周面に略沿う前記曲面８あるいは曲線を具備することにより、前記挿入体６ｃが前記エアガイダー４と前記クロスフローファン３に沿うように挟持されるので確実に前記クロスフローファン３を支えることが出来、輸送時にコンテナなどに保管され周囲温度が高温になった場合でも、クロスフローファンの自重でのたわみが少なくなり、安価な材料でクロスフローファンを作ることができ、筐体の振動を少なくすることができる。
（実施の形態５）
図５は本発明の第５の実施の形態における空気調和機の室内機の正面部分図を図示したものである。
【００３１】
図５において、前記挿入体６を少なくとも前記クロスフローファン３の長手方向の略中央において前記クロスフローファンとエアガイダーとの間に挟持することにより、少ない挿入体で効率的にクロスフローファンを支えることが出来、輸送時にコンテナなどに保管され周囲温度が高温になった場合でも、クロスフローファンの自重でのたわみが少なくなり、安価な材料でクロスフローファンを作ることができ、筐体の振動を少なくすることができる。
（実施の形態６）
図６は本発明の第６の実施の形態における空気調和機の室内機の断面図を図示したものである。
【００３２】
図６において、前記挿入体６を前記風回路５の吹出口９を介して出し入れし着脱自在に挟持することにより、室内機を設置後、前記風回路５の吹出口９から前記挿入体６を容易に取り出すことが出来、輸送時にコンテナなどに保管され周囲温度が高温になった場合でも、クロスフローファンの自重でのたわみが少なくなり、安価な材料でクロスフローファンを作ることができ、筐体の振動を少なくすることができる。
（実施の形態７）
図７は本発明の第７の実施の形態における空気調和機の室内機の横断面図を図示したもので、図８は本発明の第７の実施の形態における挿入体挿入時の斜視図ある。
【００３３】
図７において、前記筐体１内に前記熱交換器２と前記クロスフローファン３と前記エアガイダー４とからなる前記風回路５を具備した空気調和機であって、前記挿入体６を空気調和機の工場出荷前に吹出口９から挿入し、前記クロスフローファン３と前記エアガイダー４とに前記挿入体６が当接したときに前記挿入体６をテープ１０で前記筐体１に固定し、前記クロスフローファン３と前記エアガイダー４との間隙に挟持することにより、工場で簡単に組立てが出来、輸送時にコンテナなどに保管され周囲温度が高温になった場合でも、クロスフローファンの自重でのたわみが少なくなり、安価な材料でクロスフローファンを作ることができ、筐体の振動を少なくすることができる。
【産業上の利用可能性】
【００３４】
以上のように、本発明の空気調和機の室内機は、クロスフローファンとエアガイダーとの間隙に着脱自在な挿入体を挟持したことにより、輸送時にコンテナなどに保管され周囲温度が高温になった場合でも、クロスフローファンの自重でのたわみが少なくなり、安価な材料でクロスフローファンを作ることができ、筐体の振動を少なくすることができる。
【図面の簡単な説明】
【００３５】
【図１】本発明の実施の形態１における空気調和機の室内機の横断面図
【図２】本発明の実施の形態２における空気調和機の室内機の横断面図
【図３】本発明の実施の形態３における空気調和機の室内機の横断面図
【図４】本発明の実施の形態４における空気調和機の室内機の横断面図
【図５】本発明の実施の形態５におけるクロスフローファンの支持構造の正面部分図
【図６】本発明の実施の形態６における空気調和機の室内機の挿入体出し入れ時の横断面図
【図７】本発明の実施の形態６における空気調和機の室内機の横断面図
【図８】本発明の実施の形態７における空気調和機の室内機の横断面図
【図９】従来の空気調和機の室内機の横断面図
【符号の説明】
【００３６】
１  筐体
２  熱交換器
３  クロスフローファン
４  エアガイダー
５  風回路
６  挿入体
６ａ  挿入体
６ｂ  挿入体
６ｃ  挿入体
７  曲面
８    曲面
９  吹出口
１０  テープ
【図１】
2010013162.tif 000003
【図２】
2010013162.tif 000004
【図３】
2010013162.tif 000005
【図４】
2010013162.tif 000006
【図５】
2010013162.tif 000007
【図６】
2010013162.tif 000008
【図７】
2010013162.tif 000009
【図８】
2010013162.tif 000010
【図９】
2010013162.tif 000011